(57)【特許請求の範囲】
【請求項１】
記録データが書き込まれる主記録領域とメディア付加情報が書き込まれる副記録領域とを有する記録メディアに対して情報の読み書きを行う手段と、
前記記録データを複数のグループ単位で分割管理するために、前記記録メディアの副記録領域に書き込むべきメディア付加情報を特定フォーマットで作成する手段と、
前記メディア付加情報が前記特定フォーマットで記述されているか否かを判定する手段と、
前記メディア付加情報が前記特定フォーマットで記述されていると判定された場合に、当該記録メディアはグループ管理されていると認識する手段と、
グループに属さない記録データが存在するか否かを判定する手段と、
前記記録データのトラック移動を行う手段と、を有し、
グループに属さない記録データが存在すると判定された場合には、該記録データを最終グループ以降にトラック移動するとともに、そのトラック移動に応じて前記メディア付加情報の更新を行うことを特徴とする情報記録再生装置。
【請求項２】
記録データが書き込まれる主記録領域とメディア付加情報が書き込まれる副記録領域とを有する記録メディアに対して情報の読み書きを行う手段と、
前記記録データを複数のグループ単位で分割管理するために、前記メディア付加情報を特定フォーマットで作成する手段と、
前記記録データのトラック移動を行う手段と、グループに属さない記録データが存在するか否かを判定する手段と、を有し、
グループに属さない記録データが存在すると判定された場合には、該記録データを最終グループ以降にトラック移動するとともに、そのトラック移動に応じて前記メディア付加情報の更新を行うことを特徴とする情報記録再生装置。
【請求項３】
グループに属さない記録データの新規グループ登録に先立って、該記録データを最終グループ以降にトラック移動しておくとともに、そのトラック移動に応じて前記メディア付加情報の更新をすることを特徴とする請求項１または請求項２に記載の情報記録再生装置。
【請求項４】
グループに属さない記録データを新規グループ登録した場合、新規登録されたグループよりも前に、グループに属さない記録データが存在するか否かの判定を行うことを特徴とする請求項３に記載の情報記録再生装置。
【請求項５】
新たな記録データを新規グループとして前記記録メディアに書き込んだ場合、新規登録されたグループよりも前に、グループに属さない記録データが存在するか否かの判定を行うことを特徴とする請求項１〜請求項４のいずれかに記載の情報記録再生装置。
【請求項６】
新たな記録データを新規グループとして記録メディアに書き込む場合、その書き込みに先立って、グループに属さない記録データが存在するか否かの判定を行うことを特徴とする請求項１〜請求項４のいずれかに記載の情報記録再生装置。
【発明の詳細な説明】
【０００１】
【発明の属する技術分野】
本発明はミニディスク録音再生装置に代表される情報記録再生装置に関する。
【０００２】
【従来の技術】
従来の情報記録再生装置として、ここではミニディスク録音再生装置（以下、ＭＤ装置と呼ぶ）を例に挙げて説明を行う。ＭＤ装置は、記録メディアとしてミニディスク（以下、ＭＤと呼ぶ）を用い、楽音や音声等の録音再生を行うディジタルオーディオ機器である。
【０００３】
ＭＤの記録可能領域は、楽音や音声等の記録データが書き込まれるプログラム領域と、該プログラム領域における記録データの記録位置やその再生順序等の管理情報、及びＭＤ毎に固有のメディア付加情報（ディスク名）や一連の記録データ（以下、トラックと呼ぶ）毎に固有のトラック付加情報（トラック名）等が書き込まれるユーザーＴＯＣ領域（以下、ＵＴＯＣ［User Table Of Contents］領域と呼ぶ）と、に大別される。
【０００４】
上記したＵＴＯＣ領域には、セクタという単位で複数種類の情報が独立して格納されており、ＭＤ装置ではセクタ０〜セクタ４までが使用されている。セクタ０にはトラックの記録状況が格納される。セクタ１にはアスキーコードで記述されたメディア付加情報（ディスク名）やトラック付加情報（トラック名）が格納される。セクタ２にはトラックの記録日時が格納される。セクタ３はレコーダブルＭＤでは使用されないが、プリレコードＭＤではＭＤのバーコードや各トラックのＩＳＲＣ[International Standard Recording Code]が格納される。セクタ４にはＩＳＯ−８８５９−１またはシフトＪＩＳコードで記述されたメディア付加情報（ディスク名）やトラック付加情報（トラック名）が格納される。
【０００５】
このように、ＭＤ装置では、ＭＤのＵＴＯＣ領域（セクタ１及びセクタ４）に任意のディスク名やトラック名を書き込むことができるので、ユーザにとって非常に利便性が高い。
【０００６】
一方、近年では、ＭＤ装置で用いられる音声圧縮規格（高能率符号化規格）として、ＡＴＲＡＣ３［Adaptive TRansform Acoustic Coding 3］が追加されたことにより、通常モード時での録音可能時間が８０分であるＭＤに対して、４倍録音モード時（ＬＰ４（66kbps）モード時）では最大３２０分の録音ができ、多数のトラック（楽曲等）を１枚のＭＤに収録することが可能となっている。
【０００７】
このように多数のトラックが記録されたＭＤでは、トラックを複数のグループ単位で分割管理し、各グループ毎にグループ名を付すことで、ユーザの利便性をより一層高めることが望ましい。しかし、上記した通り、従来のＭＤ規格では、ＵＴＯＣ領域にメディア付加情報（ディスク名）やトラック付加情報（トラック名）が格納されるセクタはあるものの、１枚のディスク中にあるトラックを複数のグループ単位に分ける方法にまで踏み込んだ規格にはなっていなかった。
【０００８】
そこで、既存セットとの不整合回避を図りつつ、上記グループ管理を行うために、ＭＤのＵＴＯＣ領域（セクタ１もしくはセクタ４）に書き込むべきメディア付加情報（ディスク名）を所定の特定フォーマットで作成することで、該メディア付加情報にディスク名だけでなくグループ名を含める方法が提案されている。このような方法であれば、ＵＴＯＣ領域を有効活用することにより、既存の規格範囲内でのグループ管理を実現することができるので、既存セットへの影響を最小限に抑えつつ、ユーザの要望に叶う様々な楽曲再生が可能となる。
【０００９】
なお、上記のグループ管理を行うために作成されるメディア付加情報の特定フォーマットは、「TNO1-TNO2；GroupName1//TNO3-TNO4；GroupName2//…//」で示される基本型から成り、その書式には次の制約（ルール）が存在する。
【００１０】
まず、グループの構成トラックを指定するには、グループ化する開始トラックナンバー（TONn）と終了トラックナンバー（TNOm）を「-」で結び「TNOn-TNOm」と記述する。ただし、TNOnはTNOmより小さい値でなければならない。なお、グループの構成トラック数が１つの場合には「-」を省略して「TNOn」のみを記述すればよい。また、全てのグループとトラックを含めたディスク名を記述するときには、グループの構成トラックを「０」として指定すればよい。ただし、本記述は必ず先頭位置に登録なければならない。
【００１１】
次に、グループ名（もしくはディスク名）を記述するには、上記トラックナンバーの後ろに「;」を付し、それに続いてグループ名（GroupName）を記述する。なお、グループ名は必須項目ではなく、トラックのグループ化のみ（グループ名なし）を行うこともできる。また、グループ名は「-」や「;」、或いは「/」等を含むものであってもよい。
【００１２】
さらに、複数のグループ登録を行うには、各グループ間を「//」で区切り、最後のグループ末尾にも「//」を付加する。なお、１つのグループは連続したトラックナンバーを有するトラックの集合でのみ構成され、グループ毎のトラックナンバーは、最初のトラックナンバーから最後のトラックナンバーまでの範囲に属し、欠番は認めるが必ず増加するものとする。すなわち、どのグループにも属していないトラックは認められるが、１つのトラックは１つのグループにしか登録することができない。
【００１３】
一方、構成トラックの指定がないグループ登録（以下、予約グループ登録と呼ぶ）を行うことも可能である。ただし、本記述は必ず末尾に登録しなければならない。また、同一ＭＤ内に重複したグループ名を登録することも可能であるが、その場合は、同一グループ名であっても別グループとして扱われる。なお、構成トラックの指定もグループ名の記述もないグループ登録は認められない。
【００１４】
【発明が解決しようとする課題】
上記の制約（ルール）に則って、ＭＤのＵＴＯＣ領域に書き込むべきメディア付加情報が、例えば「0;ABC//4-13;abc//15-20;//」と記述されたＭＤでは、図１０（ａ）に示すようなグループ管理が行われる。すなわち、「0;ABC」という記述からは、当該ＭＤのディスク名が「ABC」であることが認識される。また、「4-13；abc」という記述から、トラック４〜トラック１３までが１グループとして登録されており、そのグループ名が「abc」であると認識される。同様に、続く「15-20;」という記述からは、トラック１５〜トラック２０までが１グループとして登録されており、そのグループ名は未設定であることが認識される。
【００１５】
ここで、メディア付加情報が上記の特定フォーマットで記述されていることを認識し、そのＭＤをグループ管理することのできるＭＤ装置（以下、グループ対応ＭＤ装置と呼ぶ）には、登録されたグループのみを先頭から順番に再生する機能（以下、グループ再生機能と呼ぶ）が設けられていることが多いが、このようなグループ再生機能を用いて、図１０（ａ）に示すグループ管理が為されたＭＤを再生した場合、その再生順序は図１０（ｂ）に示す順番となる。
【００１６】
確かに、上記のグループ再生機能を備えたグループ対応ＭＤ装置は、登録されたグループの構成トラックのみを選択的に再生することができるので、ユーザにとって非常に使い勝手がよい。しかしながら、従来のグループ対応ＭＤ装置は、あくまで、登録グループの構成トラックのみを抽出して再生を行うものであり、そのトラックナンバーを再生順序に合わせて変更するものではない。そのため、上記のグループ管理が為されたＭＤを、メディア付加情報が特定フォーマットで記述されていることを認識できないＭＤ装置（以下、グループ未対応ＭＤ装置と呼ぶ）で再生した場合には、当該ＭＤに含まれる全トラックがそのトラックナンバー順に再生されていた。従って、グループ対応ＭＤ装置を通常使用しているユーザにとって、その再生順序は非常に違和感を覚えるものとなっていた。
【００１７】
また、上記の制約（ルール）に則って、ＭＤのＵＴＯＣ領域に書き込むべきメディア付加情報が、例えば「0;ABC//3-7;abc//11-14;def//17-20;ghi//」と記述されたＭＤでは、図１１（ａ）に示すようなグループ管理が行われる。
【００１８】
ここで、どのグループにも属さないトラック（以下、無所属トラックと呼ぶ）のうち、２曲目〜６曲目（図中の網掛部で示されるトラック２、８、９、１０、１５）をグループ登録しようとする場合、「１つのグループは連続したトラックナンバーを有するトラックの集合で構成しなければならない。」といった上記の制約（ルール）により、このままではグループ化を行うことができない。
【００１９】
そのため、従来のＭＤ装置では、図１１（ｂ）〜（ｆ）に至る多段階のトラック移動を経ることで無所属トラックを連続化した後に、メディア付加情報として「0;ABC//2-6;abc//7-10;def//12-15;ghi//16-20;//」）を書き込むことで、図１１（ｇ）に示す新規グループ登録を行っていた。
【００２０】
確かに、上記の動作によれば、不連続なトラックナンバーを有する無所属トラックを新たにグループ登録することが可能である。しかしながら、選択されたトラックの位置によっては図１１（ｂ）〜（ｆ）に示すように、トラック移動のステップ数が多くなり、ソフトウェアの負担が非常に大きなものとなっていた。
【００２１】
本発明は、上記の問題点に鑑み、グループ管理が為された記録メディアを、メディア付加情報が特定フォーマットで記述されていることを認識できない情報記録再生装置で再生した場合であっても、その再生順序に違和感を感じさせないグループ管理を行うことが可能な情報記録再生装置を提供することを目的とする。また、本発明は、どのグループにも属さない不連続なトラックを、少ない手順でグループ登録することが可能な情報記録再生装置を提供することも目的とする。
【００２２】
【課題を解決するための手段】
上記目的を達成するために、本発明に係る情報記録再生装置では、記録データが書き込まれる主記録領域と、メディア付加情報が書き込まれる副記録領域と、を有する記録メディアに対して情報の読み書きを行う手段と、前記記録データを複数のグループ単位で分割管理するために、前記記録メディアの副記録領域に書き込むべきメディア付加情報を特定フォーマットで作成する手段と、前記メディア付加情報が前記特定フォーマットで記述されているか否かを判定する手段と、前記メディア付加情報が前記特定フォーマットで記述されていると判定された場合に、当該記録メディアはグループ管理されていると認識する手段と、グループに属さない記録データが存在するか否かを判定する手段と、前記記録データのトラック移動を行う手段とを有し、グループに属さない記録データが存在すると判定された場合には、該記録データを最終グループ以降にトラック移動するとともに、そのトラック移動に応じて前記メディア付加情報の更新を行う構成としている。
また、本発明に係る情報記録再生装置では、記録データが書き込まれる主記録領域とメディア付加情報が書き込まれる副記録領域とを有する記録メディアに対して情報の読み書きを行う手段と、前記記録データを複数のグループ単位で分割管理するために、前記メディア付加情報を特定フォーマットで作成する手段と、前記記録データのトラック移動を行う手段と、グループに属さない記録データが存在するか否かを判定する手段と、を有し、グループに属さない記録データが存在すると判定された場合には、該記録データを最終グループ以降にトラック移動するとともに、そのトラック移動に応じて前記メディア付加情報の更新を行うことを特徴としている。
【００２３】
また、上記構成から成る情報記録再生装置は、グループに属さない記録データの新規グループ登録に先立って、該記録データを最終グループ以降にトラック移動しておくとともに、そのトラック移動に応じて前記メディア付加情報の更新しておく構成にするとよい。
【００２４】
また、上記構成から成る情報記録再生装置は、グループに属さない記録データを新規グループ登録した場合、新規登録されたグループよりも前に、グループに属さない記録データが存在するか否かの判定を行う構成にするとよい。
【００２５】
また、上記構成から成る情報記録再生装置は、新たな記録データを新規グループとして前記記録メディアに書き込んだ場合、新規登録されたグループよりも前に、グループに属さない記録データが存在するか否かの判定を行う構成にするとよい。或いは、新たな記録データを新規グループとして前記記録メディアに書き込む場合、その書き込みに先立って、グループに属さない記録データが存在するか否かの判定を行う構成にしてもよい。
【００２６】
【発明の実施の形態】
本発明に係る情報記録再生装置として、ここでは、ミニディスク録音再生装置を例に挙げて説明を行う。図１は本発明に係るミニディスク録音再生装置の一構成例を示すブロック図である。
【００２７】
本図に示すミニディスク録音再生装置１（以下、ＭＤ装置１と呼ぶ）に設けられた入力端子２には、コンパクトディスク再生装置や衛星放送受信装置などのディジタル音声信号源から出力されたディジタル音声データが、例えば光信号としてシリアル入力される。入力端子２に入力された光信号は、光電素子３によって電気信号に変換された後、ディジタルＰＬＬ［Phase-Locked-Loop］回路４に入力される。
【００２８】
ディジタルＰＬＬ回路４は、入力されたディジタル音声データからクロックの抽出を行うとともに、サンプリング周波数および量子化ビット数に対応したマルチビットデータを再現する。このマルチビットデータは信号源毎に異なるサンプリングレート（コンパクトディスク；４４．１ｋＨｚ、ディジタルオーディオテープレコーダ；４８ｋＨｚ、衛星放送（Ａモード）；３２ｋＨｚなど）で標本化されたディジタルデータである。そこで、ディジタルＰＬＬ回路４から出力されたマルチビットデータは、周波数変換回路５によってそのサンプリングレートをミニディスクの規格に対応した４４．１ｋＨｚに変換される。
【００２９】
音声圧縮回路６は、ＡＴＲＡＣ［Adaptive TRansform Acoustic Coding］方式によって入力されたディジタル音声データの圧縮符号化を行い、符号化されたディジタル音声データをショックプルーフメモリコントローラ７を介して信号処理回路８に送出する。
【００３０】
ショックプルーフメモリコントローラ７で制御されるショックプルーフメモリ９は、音声圧縮回路６から出力されるディジタル音声データの転送速度と、信号処理回路８に入力されるディジタル音声データの転送速度との差を吸収するとともに、再生時における振動等の外乱による再生信号の中断を補間し、ディジタル音声データを保護するためのものである。
【００３１】
信号処理回路８は、エンコーダおよびデコーダとしての機能を備えており、入力されたディジタル音声データをシリアルの磁界変調信号にエンコードして記録ヘッド駆動回路１０に与える。記録ヘッド駆動回路１０は、記録ヘッド１１をミニディスク１２（以下、ＭＤ１２）上の所定記録位置に移動させるとともに、前記磁界変調信号に対応した磁界を発生させる。このとき、ＭＤ１２上の所定記録位置には、光ピックアップ１３からレーザ光が照射されており、これによって前記磁界に対応した磁化パターンがＭＤ１２上に形成される。
【００３２】
一方、光ピックアップ１３は、ＭＤ１２から前記磁化パターンに対応したシリアル信号を再生する。再生されたシリアル信号は高周波アンプ１４（以下、ＲＦアンプ１４と呼ぶ）で増幅された後、信号処理回路８によってディジタル音声データにデコードされる。デコードされたディジタル音声データは、ショックプルーフメモリコントローラ７及びショックプルーフメモリ９で外乱による影響を除去された後、音声伸長回路１５に送出される。
【００３３】
音声伸長回路１５は、ＡＴＲＡＣ方式による圧縮符号化の逆変換処理を行い、フルビットのディジタル音声データを復調する。復調されたディジタル音声データは、ディジタル／アナログ変換回路１６（以下、Ｄ／Ａ変換回路１６と呼ぶ）によってアナログ音声データに変換され、出力端子１７から外部へ出力される。
【００３４】
なお、ＲＦアンプ１４で増幅されたシリアル信号は、サーボ回路１８にも入力されている。サーボ回路１８は、再生されたシリアル信号に応じてドライバ回路１９に制御信号を送出し、該ドライバ回路１９を介してスピンドルモータ２０の回転速度をフィードバック制御する。このようなフィードバック制御により、ＭＤ１２を線速度一定で回転させることができる。
【００３５】
また、サーボ回路１８は、ドライバ回路１９を介して送りモータ２１の回転速度もフィードバック制御している。このようなフィードバック制御により、ＭＤ１２の半径方向に対する光ピックアップ１３の変移制御、すなわちトラッキング制御を行うことができる。さらに、サーボ回路１８は、ドライバ回路１９を介して光ピックアップ１３のフォーカシング制御も行っている。
【００３６】
上記した信号処理回路８、光ピックアップ１３、ＲＦアンプ１４、サーボ回路１８、及びドライバ回路１９等には、図示しない電源回路から電力供給が行われるが、このような電力供給動作や後述するグループ管理動作は、全てＭＤコントロールマイコン２２（以下、ＭＤマイコン２２と呼ぶ）によって集中管理されている。なお、ＭＤマイコン２２には、曲名入力や選曲操作、或いは音質調整動作等を行うための入力装置２３や、機器の動作状態等をユーザに報知（表示）するための表示装置２４などが接続されている。
【００３７】
なお、本発明は、ＭＤ１２をグループ管理する際に行われるＭＤマイコン２２での内部処理（入力装置２３からのキー取り込み処理や表示装置２４に対する表示処理を含む）に関するものである。そこで、以下では、ＭＤマイコン２２によるグループ管理動作について、図２〜図９を参照しながら詳細な説明を行う。
【００３８】
まず、本発明の第１実施形態について説明する。図２はＭＤマイコン２２によるグループ管理動作の第１実施形態を示す動作フローチャートである。本フローチャートでは、グループ管理が為されたＭＤ１２をグループ未対応ＭＤ装置で再生した場合であっても、その再生順序に違和感を感じさせないために行われるグループ整列処理について、一連の動作が示されている。
【００３９】
ユーザからの入力操作により、ＭＤ１２のグループ整列処理を行うように指示があった場合、まずステップＳ５では、ＭＤ１２に無所属トラックが存在するか否かを判定するためのグループ調査が行われる。ここで、ＭＤ１２のＵＴＯＣ領域に書き込まれたメディア付加情報が、例えば「0;ABC//4-13;abc//15-20;//」と記述されたＭＤ１２では、図３（ａ）に示すグループ管理が行われている。従って、ステップＳ５では、無所属トラック（トラック１、２、３、１４、２１、２２）が存在すると判定され、フローは続くステップＳ１０に進められる。
【００４０】
ステップＳ１０では、ＭＤ１２のＵＴＯＣ領域（セクタ１）に書き込むべきトラックの記録順番を示す付加情報が変更され、上記した無所属トラックは、図３（ｂ）に示すように、最終グループ（本図の場合はグループ２）以降にトラック移動される。言い換えれば、上記した無所属トラックのトラックナンバーは、最終グループの構成トラックナンバーよりも大きい値に変更される。
【００４１】
続くステップＳ１５では、上記のトラック移動に応じて特定フォーマットの再構築が行われ、メディア付加情報は「0;ABC//1-10;abc//11-16;//」といった記述に更新される。
【００４２】
上記のステップＳ１５で作成されたメディア付加情報は、続くステップＳ５０においてＭＤ１２のＵＴＯＣ領域に書き込まれ、グループ整列処理は終了する。なお、ステップＳ５０におけるＵＴＯＣ領域への書き込み動作は、上記したグループ整列処理後に逐一実行してもよいし、別のグループ管理動作を続ける場合であれば、一連のグループ管理動作後にまとめて実行するようにしてもよい。
【００４３】
一方、ステップＳ５にて、無所属トラックが存在しないと判定された場合、フローはステップＳ５５に進められる。ステップＳ５５では、表示装置２４に「対象となる無所属トラックは存在しません。」といったメッセージが表示され、その後、グループ整列処理が終了される。
【００４４】
このようなグループ整列処理を行うことにより、登録されたグループのみを先頭から順番に再生した場合であっても、全トラックをそのトラックナンバー順に再生した場合であっても、その再生順序は互いに一致することになる。従って、グループ管理が為されたＭＤ１２をグループ未対応ＭＤ装置で再生した場合の再生順序が、グループ対応ＭＤ装置を通常使用しているユーザにとって違和感を覚えるものとなることはない。
【００４５】
次に、本発明の第２実施形態について説明する。図４はＭＤマイコン２２によるグループ管理動作の第２実施形態を示す動作フローチャートである。本フローチャートでは、不連続なトラックナンバーを有する無所属トラックを新たにグループ化する際に行われる一連の動作が示されており、そのステップ構成は前出の第１実施形態（図２参照）を基本としている。
【００４６】
そこで、第１実施形態と同様のステップについては、図２と同一の符号を付すことで説明を省略し、以下では、本実施形態の特徴部分であるステップＳ２０〜ステップＳ３０について、重点をおいた説明を行うことにする。なお、ここではメディア付加情報が「0;ABC//3-7;abc//11-14;def//17-20;ghi//」と記述され、図５（ａ）に示すようなグループ管理が為されているＭＤ１２において、無所属トラックのうち、２曲目〜６曲目（図中の網掛部で示したトラック２、８、９、１０、１５）をグループ登録する場合を例に挙げて説明を行う。
【００４７】
ユーザからの入力操作により、無所属トラックのグループ化を行うように指示があった場合、ステップＳ５〜ステップＳ１５では、無所属トラックのグループ化に先立って、第１実施形態と同様のグループ整列処理が行われる。このようなグループ整列処理によって、図５（ｂ）に示すように、上記した無所属トラックは最終グループ（本図の場合はグループ３）以降にトラック移動される。また、上記のトラック移動に応じてメディア付加情報の再構築が行われ、メディア付加情報は「0;ABC//1-5;abc//6-9;def//10-13;ghi//」といった記述に更新される。
【００４８】
その後、フローはステップＳ２０〜ステップＳ３０から成る一連のグループ化処理に進められる。ステップＳ２０〜ステップＳ３０においては、開始トラック（TNOn=15）の選択［ステップＳ２０］、終了トラック（TNOm=19）の選択［ステップＳ２５］、及び特定フォーマット（「0;ABC//…//TNOn-TNOm;//」）の作成［ステップＳ３０］が順に行われる。なお、ステップＳ３０より前段に、入力装置２３によるグループ名の入力ステップを挿入してもよい。ステップＳ３０において作成されたメディア付加情報は、続くステップＳ５０においてＭＤ１２のＵＴＯＣ領域に書き込まれ、無所属トラックのグループ化は終了する。
【００４９】
このように、無所属トラックの新規グループ登録に先立って、その無所属トラックを最終グループ以降にトラック移動しておくとともに、そのトラック移動に応じてメディア付加情報の更新しておく構成とすることにより、従来（図１１参照）よりも少ない手順で、不連続の無所属トラックをグループ登録することが可能となる。従って、ソフトウェアの負担を大幅に低減することができる。
【００５０】
次に、本発明の第３実施形態について説明する。図６はＭＤマイコン２２によるグループ管理動作の第３実施形態を示す動作フローチャートである。本実施形態のグループ管理動作は、前出の第２実施形態（図４参照）とほぼ同様のステップ構成から成り、無所属トラックを新規グループ登録した場合、新規登録したグループよりも前に無所属トラックが存在するか否かの判定を行い、その判定結果に応じて再グループ整列処理を行うステップを追加したことに特徴を有する。
【００５１】
そこで、第２実施形態と同様のステップについては、図４と同一の符号を付すことで説明を省略し、以下では、本実施形態の特徴部分であるステップＳ３５〜ステップＳ４５について、重点をおいた説明を行う。なお、ここでは、第２実施形態と同様、メディア付加情報が「0;ABC//3-7;abc//11-14;def//17-20;ghi//」と記述され、図７（ａ）に示すようなグループ管理が為されているＭＤ１２において、無所属トラックのうち、２曲目〜６曲目（図中の網掛部で示したトラック２、８、９、１０、１５）をグループ登録する場合を例に挙げて説明を行う。
【００５２】
ステップＳ５〜ステップＳ３０を経て、図７（ｃ）に示すように、無所属トラックの新規グループ登録が行われた場合、続くステップＳ３５では、新規登録されたグループ（本図の場合グループ４）よりも前に、無所属トラックが存在するか否かを判定するための再グループ調査が行われる。なお、図７（ｃ）の場合、無所属トラック１の存在によって、新規グループよりも前に無所属トラックが存在すると判定され、フローは続くステップＳ４０に進められる。
【００５３】
ステップＳ４０では、ＭＤ１２のＵＴＯＣ領域（セクタ１）に書き込むべきトラックの記録順番を示す付加情報が変更され、上記した無所属トラックは、図７（ｄ）に示すように、最終グループ以降にトラック移動される。続くステップＳ４５では、上記のトラック移動に応じて特定フォーマットの再構築が行われ、メディア付加情報は「0;ABC//1-5;abc//6-9;def//10-13;ghi//14-18;//」といった記述に更新される。ステップＳ４５で作成されたメディア付加情報は、続くステップＳ５０においてＭＤ１２のＵＴＯＣ領域に書き込まれ、再グループ整列処理を伴った無所属トラックのグループ化は終了する。
【００５４】
一方、ステップＳ３５にて、新規グループよりも前に無所属トラックが存在しないと判定された場合には、フローがステップＳ５０にスキップされ、ＵＴＯＣ領域への書き込みが行われた後、無所属トラックのグループ化が終了される。
【００５５】
このように、無所属トラックを新規グループ登録した場合に、再度グループ調査とグループ整列処理を行う構成であれば、ステップＳ５〜ステップＳ３０で行われた無所属トラックの新規グループ登録に伴って、当該新規グループよりも前に不連続な無所属トラックが存在することになった場合であっても、その無所属トラックを再び最終グループ以降にトラック移動させることができる。
【００５６】
従って、登録されたグループのみを先頭から順番に再生した場合であっても、全トラックをそのトラックナンバー順に再生した場合であっても、その再生順序は互いに一致することになる。よって、グループ管理が為されたＭＤ１２をグループ未対応ＭＤ装置で再生した場合の再生順序が、グループ対応ＭＤ装置を通常使用しているユーザにとって違和感を覚えるものとなることはない。
【００５７】
次に、本発明の第４実施形態について説明する。図８はＭＤマイコン２２によるグループ管理動作の第４実施形態を示す動作フローチャートである。本フローチャートでは、新たなトラックを新規グループとしてＭＤ１２のプログラム領域に書き込むグループ録音の際に行われる一連の動作が示されており、そのステップ構成は前出の第３実施形態（図６参照）を基本としている。
【００５８】
そこで、第３実施形態と同様のステップについては、図６と同一の符号を付すことで説明を省略し、以下では、本実施形態の特徴部分であるステップＳ１〜ステップＳ４について、重点をおいた説明を行うことにする。なお、ここではメディア付加情報が「0;ABC//4-13;abc//」と記述され、図９（ａ）に示すようなグループ管理が為されているＭＤ１２に対して、新たに３トラックをグループ録音する場合を例に挙げて説明を行う。
【００５９】
ユーザからの入力操作により、ステップＳ１においてグループ録音設定がＯＮとされ、これからＭＤ１２のプログラム領域に書き込もうとするトラックを１グループとして登録するように指示があった場合、フローはステップＳ２〜ステップＳ４から成る一連のグループ録音処理に進められる。
【００６０】
まず、ステップＳ２、Ｓ３では、録音開始に伴う開始トラック（TNOn=15）の記憶［ステップＳ２］と、録音終了に伴う終了トラック（TNOm=17）の記憶［ステップＳ３］とが行われ、図９（ｂ）に示すように、ＭＤ１２のプログラム領域に新たな３トラック（トラック１５〜トラック１７）が書き込まれる。なお、このとき、ＭＤ１２のＵＴＯＣ領域（セクタ０）には、各トラックのアドレス情報が作成される。
【００６１】
続くステップＳ４では、特定フォーマット（「0;ABC//…//TNOn-TNOm;//」）の作成［ステップＳ４］が行われ、図９（ｃ）に示すように、トラック１５〜トラック１７が新規グループ（本図ではグループ２）として登録される。なお、ステップＳ４より前段に、入力装置２３によるグループ名の入力ステップを挿入してもよい。
【００６２】
その後、フローはステップＳ３５に進められ、新規登録されたグループ（本図の場合グループ２）よりも前に、無所属トラックが存在するか否かを判定するためのグループ調査が行われる。なお、図９（ｃ）の場合、複数の無所属トラック（トラック１、２、３、１４）が存在するため、新規グループよりも前に無所属トラックが存在すると判定され、フローは続くステップＳ４０に進められる。
【００６３】
ステップＳ４０では、ＭＤ１２のＵＴＯＣ領域（セクタ１）に書き込むべきトラックの記録順番を示す付加情報が変更され、上記した無所属トラックは、図９（ｄ）に示すように、最終グループ以降にトラック移動される。続くステップＳ４５では、上記のトラック移動に応じて特定フォーマットの再構築が行われ、メディア付加情報は「0;ABC//1-10;abc//11-13;//」といった記述に更新される。ステップＳ４５で作成されたメディア付加情報は、続くステップＳ５０においてＭＤ１２のＵＴＯＣ領域に書き込まれ、グループ整列処理を伴ったグループ録音は終了する。
【００６４】
一方、ステップＳ３５にて、新規グループよりも前に無所属トラックが存在しないと判定された場合には、フローがステップＳ５０にスキップされ、ＵＴＯＣ領域への書き込みが行われた後、グループ録音が終了される。
【００６５】
このように、新たな記録データを新規グループとして登録した場合に、グループ調査とグループ整列処理を行う構成であれば、ステップＳ１〜ステップＳ４で行われたグループ録音に伴って、当該新規グループよりも前に不連続な無所属トラックが存在することになった場合であっても、その無所属トラックを最終グループ以降にトラック移動させることができる。
【００６６】
従って、登録されたグループのみを先頭から順番に再生した場合であっても、全トラックをそのトラックナンバー順に再生した場合であっても、その再生順序は互いに一致することになる。よって、グループ管理が為されたＭＤ１２をグループ未対応ＭＤ装置で再生した場合の再生順序が、グループ対応ＭＤ装置を通常使用しているユーザにとって違和感を覚えるものとなることはない。
【００６７】
なお、新規トラックは通常最後尾に作成されるので、無所属トラックが存在するＭＤ１２に対してグループ録音を行った場合には、新規トラックよりも前に必ず無所属トラックが存在することになる。逆に、無所属トラックが存在しないＭＤ１２に対してグループ録音を行った場合であれば、新規トラックよりも前に無所属トラックが存在することはあり得ない。従って、グループ録音に先立って、ＭＤ１２に無所属トラックが存在するか否かの判定を行う構成としても、上記と同様の結果を得ることができる。
【００６８】
上記した第１〜第４実施形態では、いずれもミニディスク録音再生装置に本発明を適用した場合を例に挙げて説明を行ったが、本発明の適用対象はこれに限定されるものではなく、種々の情報記録再生装置に適用が可能である。
【００６９】
【発明の効果】
上記で説明した通り、本発明に係る情報記録再生装置は、記録データが書き込まれる主記録領域と、メディア付加情報が書き込まれる副記録領域と、を有する記録メディアに対して情報の読み書きを行う手段と、前記記録データを複数のグループ単位で分割管理するために、前記記録メディアの副記録領域に書き込むべきメディア付加情報を特定フォーマットで作成する手段と、前記メディア付加情報が前記特定フォーマットで記述されているか否かを判定する手段と、前記メディア付加情報が前記特定フォーマットで記述されていると判定された場合に、当該記録メディアはグループ管理されていると認識する手段と、グループに属さない記録データが存在するか否かを判定する手段と、前記記録データのトラック移動を行う手段とを有し、グループに属さない記録データが存在すると判定された場合には、該記録データを最終グループ以降にトラック移動するとともに、そのトラック移動に応じて前記メディア付加情報の更新を行う構成としている。
【００７０】
このような構成とすることにより、登録されたグループのみを先頭から順番に再生した場合であっても、全記録データをそのトラックナンバー順に再生した場合であっても、その再生順序は互いに一致することになる。従って、グループ管理が為された記録メディアを、グループ管理に未対応の情報記録再生装置で再生した場合の再生順序が、グループ管理に対応した情報記録再生装置を通常使用しているユーザにとって違和感を覚えるものとなることはない。
【００７１】
また、上記構成から成る情報記録再生装置は、グループに属さない記録データの新規グループ登録に先立って、該記録データを最終グループ以降にトラック移動しておくとともに、そのトラック移動に応じて前記メディア付加情報の更新しておく構成にするとよい。
【００７２】
このような構成とすることにより、グループに属さない記録データの新規グループ登録を、従来よりも少ない手順で実現可能となる。従って、ソフトウェアの負担を大幅に低減することができる。
【００７３】
また、上記構成から成る情報記録再生装置は、グループに属さない記録データを新規グループ登録した場合、新規登録されたグループよりも前に、グループに属さない記録データが存在するか否かの判定を行う構成にするとよい。
【００７４】
このような構成とすることにより、グループに属さない記録データの新規グループ登録に伴って、当該新規グループよりも前に、グループに属さない記録データが存在することになった場合であっても、その記録データを再び最終グループ以降にトラック移動させることができる。従って、登録されたグループのみを先頭から順番に再生した場合であっても、全記録データをそのトラックナンバー順に再生した場合であっても、その再生順序は互いに一致することになる。よってグループ管理が為された記録メディアを、グループ管理に未対応の情報記録再生装置で再生した場合の再生順序が、グループ管理に対応した情報記録再生装置を通常使用しているユーザにとって違和感を覚えるものとなることはない。
【００７５】
また、上記構成から成る情報記録再生装置は、新たな記録データを新規グループとして前記記録メディアに書き込んだ場合、新規登録されたグループよりも前に、グループに属さない記録データが存在するか否かの判定を行う構成にするとよい。或いは、新たな記録データを新規グループとして前記記録メディアに書き込む場合、その書き込みに先立って、グループに属さない記録データが存在するか否かの判定を行う構成にしてもよい。
【００７６】
このような構成とすることにより、新たな記録データを新規グループとして前記記録メディアに書き込んだことに伴って、当該新規グループよりも前に、グループに属さない記録データが存在することになった場合であっても、その記録データを最終グループ以降にトラック移動させることができる。従って、登録されたグループのみを先頭から順番に再生した場合であっても、全記録データをそのトラックナンバー順に再生した場合であっても、その再生順序は互いに一致することになる。よって、グループ管理が為された記録メディアを、グループ管理に未対応の情報記録再生装置で再生した場合の再生順序が、グループ管理に対応した情報記録再生装置を通常使用しているユーザにとって違和感を覚えるものとなることはない。
【図面の簡単な説明】
【図１】本発明に係るミニディスク録音再生装置の一構成例を示すブロック図である。
【図２】ＭＤマイコン２２によるグループ管理動作の第１実施形態を示す動作フローチャートである。
【図３】第１実施形態におけるＭＤ１２のグループ管理を説明する図である。
【図４】ＭＤマイコン２２によるグループ管理動作の第２実施形態を示す動作フローチャートである。
【図５】第２実施形態におけるＭＤ１２のグループ管理を説明する図である。
【図６】ＭＤマイコン２２によるグループ管理動作の第３実施形態を示す動作フローチャートである。
【図７】第３実施形態におけるＭＤ１２のグループ管理を説明する図である。
【図８】ＭＤマイコン２２によるグループ管理動作の第４実施形態を示す動作フローチャートである。
【図９】第４実施形態におけるＭＤ１２のグループ管理を説明する図である。
【図１０】ＭＤのグループ管理の一従来例を説明する図である。
【図１１】ＭＤのグループ管理の別従来例を説明する図である。
【符号の説明】
１    ミニディスク録音再生装置（ＭＤ装置）
２    入力端子
３    光電素子
４    ディジタルＰＬＬ回路
５    周波数変換回路
６    音声圧縮回路
７    ショックプルーフメモリコントローラ
８    信号処理回路
９    ショックプルーフメモリ
１０    記録ヘッド駆動回路
１１    記録ヘッド
１２    ミニディスク（ＭＤ）
１３    光ピックアップ
１４    高周波アンプ（ＲＦアンプ）
１５    音声伸長回路
１６    ディジタル／アナログ変換回路（Ｄ／Ａ変換回路）
１７    出力端子
１８    サーボ回路
１９    ドライバ回路
２０    スピンドルモータ
２１    送りモータ
２２    ＭＤコントロールマイコン（ＭＤマイコン）
２３    入力装置
２４    表示装置
【図１】
0003732119.tif 000002
【図２】
0003732119.tif 000003
【図３】
0003732119.tif 000004
【図４】
0003732119.tif 000005
【図５】
0003732119.tif 000006
【図６】
0003732119.tif 000007
【図７】
0003732119.tif 000008
【図８】
0003732119.tif 000009
【図９】
0003732119.tif 000010
【図１０】
0003732119.tif 000011
【図１１】
0003732119.tif 000012